(57)【要約】      （修正有）【課題】被写体である来訪者が眩しさを感じるような不快感を与えることなく、当該来訪者が誰なのかの判別を可能とし、さらに、住戸外の周囲環境の視認性も高く確保する。【解決手段】子機１における来訪者の立ち位置に対応させ、照明部１０２を構成する第１乃至第３の各白色ＬＥＤ１０２ａ、１０２ｂ、１０２ｃの照度、照明部１０２を構成する第１乃至第３の各白色ＬＥＤＬＥＤ１０２ａ、１０２ｂ、１０２ｃの照度及び赤外ＬＥＤ１０２ｄの照度、或いは、照明部１０２を構成する白色ＬＥＤ１０２ａの照度及び赤外ＬＥＤ１０２ｄの照度をそれぞれ調光する。また、センサライトカメラ３ａ、センサライト３ｂ及びライトカメラ３ｃのうち少なくとも一種の当該ライトの組み合わせによる外部照明機器３を親機２に接続して点灯させる。【選択図】図１
2010109720.tif 000002
【特許請求の範囲】
【請求項１】
来訪者の顔を検知して映像を撮像するためのカメラ（１０１）を備える子機（１）と、前記子機の前記カメラにて撮像された前記映像を出画するためのモニタ（２０１）を備える親機（２）とを設け、
前記子機には、前記カメラにて撮像される前記来訪者の明るさを一定のレベルに確保するために点灯される照明部（１０２）と、前記カメラの撮像範囲における前記来訪者の映像の大きさ及び前記映像の位置により当該来訪者及び当該子機間の距離及び当該来訪者が立っている位置を検知するための子機制御部（１０６）と、前記子機制御部にて検知された前記距離及び前記位置に応じて前記照明部を調光するための調光部（１０３）とを備えることを特徴とするテレビドアホン装置。
【請求項２】
前記照明部は、第１乃至第３の各白色ＬＥＤ（１０２ａ、１０２ｂ、１０２ｃ）で構成され、
前記第１の白色ＬＥＤは、前記子機から正面方向に光を照射し、
前記第２、第３の各白色ＬＥＤはそれぞれ、前記子機から正面へ延びる仮想線（Ｌ0）を基準に所定の角度（θ）で配置され、前記子機から斜め方向に光を照射することを特徴とする請求項１記載のテレビドアホン装置。
【請求項３】
前記照明部は、第１乃至第３の各白色ＬＥＤ（１０２ａ、１０２ｂ、１０２ｃ）と、赤外ＬＥＤ（１０２ｄ）とで構成され、
前記第１の白色ＬＥＤ及び前記赤外ＬＥＤはそれぞれ、前記子機から正面方向に光を照射し、
前記第２、第３の各白色ＬＥＤはそれぞれ、前記子機から正面へ延びる仮想線（Ｌ0）を基準に所定の角度（θ）で配置され、前記子機から斜め方向に光を照射することを特徴とする請求項１記載のテレビドアホン装置。
【請求項４】
前記照明部は、白色ＬＥＤ（１０２ａ）と、赤外ＬＥＤ（１０２ｄ）とで構成され、
前記白色ＬＥＤ及び前記赤外ＬＥＤはそれぞれ、前記子機から正面方向に光を照射することを特徴とする請求項１記載のテレビドアホン装置。
【請求項５】
前記親機には、外部照明機器（３）を接続するためのインターフェース（２０６）と、前記インターフェースに接続された前記外部照明機器を駆動させて前記子機へ光を照射するための親機制御部（２０４）とを備えることを特徴とする請求項１記載のテレビドアホン装置。
【請求項６】
前記外部照明機器は、センサライトカメラ（３ａ）、センサライト（３ｂ）及びライトカメラ（３ｃ）のうち少なくとも一種の当該ライトを組み合わせて構成されることを特徴とする請求項５記載のテレビドアホン装置。
【発明の詳細な説明】
【技術分野】
【０００１】
本発明はテレビドアホン装置に係り、特に、子機のカメラにて撮像される映像の被写体に不快感を与えることなく、その映像の視認性を高めて親機のモニタに出画させることができるテレビドアホン装置に関する。
【背景技術】
【０００２】
従来から、この種のテレビドアホン装置として、玄関子機のカラーテレビカメラの夜間照明を、伝送路の長さに影響されずに一定の明るさに維持することができるカラーテレビドアホン装置が開示されている（例えば、特許文献１を参照。）。
【０００３】
このカラーテレビドアホン装置によれば、玄関子機の呼出ボタン押下時である呼出状態の際、室内親機から供給される電源電圧により点灯する夜間照明用ＬＥＤである白色ＬＥＤを、来訪者を驚かせることなく徐々に点灯させ、かつ明るさを維持させるために、室内親機から供給される電源電圧を定電圧化させ、電流制御回路により徐々に増加する電流により定電流回路の電流も徐々に増加させて、白色ＬＥＤに流す電流が徐々することにより徐々に明るくなり、定電流値に到達することにより伝送路の長さに影響されずに一定の明るさを維持できる。
【０００４】
【特許文献１】特開平１１−２７６５５号公報
【発明の開示】
【発明が解決しようとする課題】
【０００５】
しかしながら、背景技術に記載した特許文献１のカラーテレビドアホン装置によれば、夜間照明用ＬＥＤである白色ＬＥＤの明るさが一定で維持されるため、例えば、来訪者の立ち位置が玄関子機の正面でない場合には、照度不足になる虞があった。
【０００６】
また、来訪者の立ち位置が玄関子機の正面である場合には、夜間照明用ＬＥＤである白色ＬＥＤの照度が高すぎるため、拡散板を使用して光拡散を行った場合であっても、来訪者が眩しさを感じるように不快感を与える虞があった。
【０００７】
本発明は、これらの難点を解消するためになされたものであり、被写体である来訪者が眩しさを感じるような不快感を与えることなく、当該来訪者が誰なのかの判別が可能で住戸外の周囲環境の視認性も高く確保できるテレビドアホン装置を提供することを目的としている。
【課題を解決するための手段】
【０００８】
前述の目的を達成するため、本発明の第１の態様であるテレビドアホン装置は、来訪者の顔を検知して映像を撮像するためのカメラを備える子機と、子機のカメラにて撮像された映像を出画するためのモニタを備える親機とを設けており、子機には、カメラにて撮像される来訪者の明るさを一定のレベルに確保するために点灯される照明部と、カメラの撮像範囲における来訪者の映像の大きさ及び映像の位置により当該来訪者及び当該子機間の距離及び当該来訪者が立っている位置を検知するための子機制御部と、子機制御部にて検知された距離及び位置に応じて照明部を調光するための調光部とを備えている。
【０００９】
また、本発明の第２の態様であるテレビドアホン装置は、本発明の第１の態様において、照明部は、第１乃至第３の各白色ＬＥＤで構成されており、第１の白色ＬＥＤは、子機から正面方向に光を照射し、第２、第３の各白色ＬＥＤはそれぞれ、子機から正面へ延びる仮想線を基準に所定の角度で配置され、子機から斜め方向に光を照射するものである。
【００１０】
また、本発明の第３の態様であるテレビドアホン装置は、本発明の第１の態様において、照明部は、第１乃至第３の各白色ＬＥＤと、赤外ＬＥＤとで構成されており、第１の白色ＬＥＤ及び赤外ＬＥＤはそれぞれ、子機から正面方向に光を照射し、第２、第３の各白色ＬＥＤはそれぞれ、子機から正面へ延びる仮想線を基準に所定の角度で配置され、子機から斜め方向に光を照射するものである。
【００１１】
また、本発明の第４の態様であるテレビドアホン装置は、本発明の第１の態様において、照明部は、白色ＬＥＤと、赤外ＬＥＤとで構成されており、白色ＬＥＤ及び赤外ＬＥＤはそれぞれ、子機から正面方向に光を照射するものである。
【００１２】
また、本発明の第５の態様であるテレビドアホン装置は、本発明の第１の態様において、親機には、外部照明機器を接続するためのインターフェースと、インターフェースに接続された外部照明機器を駆動させて子機へ光を照射するための親機制御部とを備えている。
【００１３】
また、本発明の第６の態様であるテレビドアホン装置は、本発明の第４の態様において、外部照明機器は、センサライトカメラ、センサライト及びライトカメラのうち少なくとも一種の当該ライトを組み合わせて構成されるものである。
【発明の効果】
【００１４】
本発明のテレビドアホン装置によれば、子機における来訪者の立ち位置に対応させ、子機の子機制御部により調光部を制御して、照明部を構成する第１乃至第３の各白色ＬＥＤの照度、照明部を構成する第１乃至第３の各白色ＬＥＤの照度及び赤外ＬＥＤの照度、或いは、照明部を構成する白色ＬＥＤの照度及び赤外ＬＥＤの照度をそれぞれ調光することができる。これにより、子機から正面方向に光を照射する白色ＬＥＤの照度を高くする一方、赤外ＬＥＤの照度を低く抑え、さらには、子機から正面へ延びる仮想線を基準に所定の角度で配置され、当該子機から斜め方向に光を照射する白色ＬＥＤのそれぞれの照度を高くすることができ、例えば、来訪者の居る方向のＬＥＤの照度が低くなり、当該来訪者の居ない方向のＬＥＤの照度が高くなるため、来訪者が眩しさを感じるような不快感を与えることなく、子機のカメラにて撮像され親機のモニタに出画される映像信号として、当該来訪者が誰なのかの判別が可能で住戸外の周囲環境の視認性も高く確保される。
【００１５】
また、本発明のテレビドアホン装置によれば、センサライトカメラ、センサライト及びライトカメラのうち少なくとも一種の当該ライトの組み合わせによる外部照明機器を親機に接続することにより、これらライトの点灯によって住戸外の周囲環境の明るさが確保される。
【発明を実施するための最良の形態】
【００１６】
以下、本発明のテレビドアホン装置を適用した最良の実施の形態例について、図面を参照して説明する。
【００１７】
図１（Ａ）は、本発明の第１の実施例によるテレビドアホン装置を上方から見たシステム説明図であり、図２は、その具体的な構成を示すブロック図である。同図に示すテレビドアホン装置には、住戸外に設置される子機１と、住戸内に設置される親機２と、住戸外の照明機能を有する外部照明機器３とが設けられており、この親機２には、子機ラインＬ1を経由して子機１が接続されているとともに、外部ラインＬ2を経由して外部照明機器３が接続されている。
【００１８】
図１（Ａ）に示す外部照明機器３は、センサライトカメラ３ａ、センサライト３ｂ及びライトカメラ３ｃの組み合わせで構成されるものであり、ここでは、全てのライト３ａ、３ｂ、３ｃを１つずつ有している。ここで、センサライトカメラ３ａとは、住戸外における来訪者の存在を検知して点灯され、併せて映像を撮像し、映像信号（以下、外部映像信号という。）を生成するためのものである。また、センサライト３ｂとは、住戸外における来訪者の存在を検知して点灯されるものである。さらに、ライトカメラ３ｃとは、点灯され、併せて映像を撮像し、外部映像信号を生成するためのものである。
【００１９】
図２に示す子機１には、子機操作部１００、カメラ１０１、照明部１０２、調光部１０３、子機通話部１０４、子機電源部１０５、子機制御部１０６及び子機Ｉ／Ｆ（インターフェース）１０７が備えられている。
【００２０】
この子機１において、子機操作部１００は、子機制御部１０６によって操作検出され、住戸外に居る来訪者が住戸内に在室中の居住者を呼び出すための呼出操作を行うものであり、例えば、呼出ボタンで構成されている。
【００２１】
カメラ１０１は、子機制御部１０６によって制御され、来訪者の顔及び撮像範囲内における顔の大きさを検知して映像を撮像し、映像信号（以下、子機映像信号という。）を生成するためのものであり、例えば、ＣＣＤ、ＣＭＯＳ等の各種の映像撮像媒体（固定撮像素子）で構成されている。
【００２２】
照明部１０２は、子機制御部１０６によって制御され、カメラ１０１にて生成される子機映像信号として、来訪者の明るさを一定のレベルに確保するために点灯されるものであり、その照度（ｌｕｘ）及び子機１から来訪者までの距離（ｃｍ）の関係に基づく調光条件を表す図３のグラフ図に示すように、可視光を発光する第１乃至第３の各白色ＬＥＤ１０２ａ、１０２ｂ、１０２ｃと、赤外ＬＥＤ１０２ｄとで構成されている。ここで、第１の白色ＬＥＤ１０２ａ及び赤外ＬＥＤ１０２ｄはそれぞれ、子機１から正面方向に光を照射することができる。また、第２、第３の各白色ＬＥＤ１０２ｂ、１０２ｃはそれぞれ、子機１から正面へ延びる仮想線Ｌ0を基準に所定の角度、例えば、３０°の指向角θで対向した位置に配置され、子機１から斜め方向に光を照射することができる。さらに、第１乃至第３の各白色ＬＥＤ１０２ａ、１０２ｂ、１０２ｃ、及び赤外ＬＥＤ１０２ｄはそれぞれ、光を照射するにあたり、拡散板を使用して光拡散を行うことができる。
【００２３】
なお、照明部１０２において、第１乃至第３の各白色ＬＥＤ１０２ａ、１０２ｂ、１０２ｃ、及び赤外ＬＥＤ１０２ｄの光量はそれぞれ、その光量（％）及び角度：指向角（θ）の関係を表す図４のグラフ図に示すように、子機１から正面への基準角（０°）を１００％の光量として、前述の指向度θに対応させて低下する関係を有している。
【００２４】
調光部１０３は、子機制御部１０６によって制御され、カメラ１０１の撮像範囲における来訪者の映像及び当該映像の位置により子機制御部１０６にて検知される当該来訪者及び子機１間の距離及び当該来訪者が立っている位置に応じて、照明部１０２を調光するためのものである。
【００２５】
子機通話部１０４は、来訪者が居住者との間で通話を成立させるための音声（送話音声、受話音声）信号を入出力するものであり、例えば、マイク及びスピーカで構成されている。
【００２６】
子機電源部１０５は、親機２の親機電源部２０３にて生成され子機ラインＬ1を経由して供給されてくる直流電源（待受電源、動作電源）を受電し、子機１の構成各部に供給するためのものである。
【００２７】
子機制御部１０６は、子機１の構成各部を制御するためのものである。また、子機Ｉ／Ｆ１０７は、カメラ１０１から子機ラインＬ1への信号伝送路と、子機通話部１０４及び子機ラインＬ1間の信号伝送路と、子機ラインＬ1から子機電源部１０５への電源供給路と、子機制御部１０６及び子機ラインＬ1間の信号伝送路とをそれぞれ形成するためのものである。
【００２８】
また、図２に示す親機２には、親機操作部２００、モニタ２０１、親機通話部２０２、親機電源部２０３、親機制御部２０４、子機側親機Ｉ／Ｆ２０５及び外部側親機Ｉ／Ｆ２０６が備えられている。
【００２９】
この親機２において、親機操作部２００は、親機制御部２０４によって操作検出され、居住者が来訪者からの呼び出しに応答して通話を成立させるための応答操作と、成立中の通話を終了させるための終話操作と、当該装置が例えば待受状態において、子機１のカメラ１０１、照明部１０２、調光部１０３及び自機のモニタ２０１をそれぞれ駆動させ、モニタ監視するための監視操作等を行うものであり、例えば、前述の各種操作に対応させた押圧ボタンやモニタ２０１の前面に配置されるタッチパネルで構成されている。
【００３０】
モニタ２０１は、親機制御部２０４によって制御され、子機１のカメラ１０１にて生成された子機映像信号、及び／又は外部照明機器３を構成するセンサライトカメラ３ａ、ライトカメラ３ｃにて生成された外部映像信号を出画するためのものであり、例えば、ＬＣＤ、ＰＤＰ、有機ＥＬディスプレイ等の各種の表示媒体で構成されている。なお、このモニタ２０１には、来訪者からの呼び出しがある旨の呼出表示を行うこともできる。
【００３１】
親機通話部２０２は、親機制御部２０４によって制御され、居住者が来訪者との間で通話を成立させるための音声（送話音声、受話音声）信号を入出力するものであり、例えば、マイク及びスピーカで構成されている。なお、このスピーカは、来訪者からの呼び出しがある旨の呼出発報を行うこともできる。
【００３２】
親機電源部２０３は、例えば、ＡＣ１００Ｖの商用電源を整流・平滑して生成された直流電源を、親機２の待受電源又は動作電源、子機１の待受電源又は動作電源としてそれぞれ供給するためのものである。
【００３３】
親機制御部２０４は、親機２の構成各部を制御するとともに、子機１及び外部照明機器３をそれぞれ制御することができる。また、子機側親機Ｉ／Ｆ２０５は、子機ラインＬ1からモニタ２０１への信号伝送路と、親機通話部２０２及び子機ラインＬ1間の信号伝送路と、親機電源部２０３から子機ラインＬ1への電源供給路と、親機制御部２０４及び子機ラインＬ1間の信号伝送路とをそれぞれ形成するためのものである。また、外部側親機Ｉ／Ｆ２０６は、親機制御部２０４及び外部ラインＬ2間の信号伝送路を形成するためのものである。
【００３４】
このように構成された本発明の第１の実施例によるテレビドアホン装置において、以下、具体的な動作について、図１（Ａ）、図２乃至図４の各図と、図５のグラフ図とをそれぞれ参照して説明する。なお、図５は、本発明の実施例にて適用される各種照明機能の照度と、親機２のモニタ２０１に出画される映像信号の明るさとの関係を表すものである。
【００３５】
最初に、当該装置が待受状態であるとき、図２に示す親機２の親機電源部２０３は、例えば、ＡＣ１００Ｖの商用電源を整流・平滑して待受用の電圧レベルの待受電源を生成し、当該親機の構成各部に供給するとともに、子機側親機Ｉ／Ｆ２０５、子機ラインＬ1、子機１の子機Ｉ／Ｆ１０７を経由して子機電源部１０５から当該子機の構成各部に供給している。なお、外部照明機器３を構成するセンサライトカメラ３ａ、センサライト３ｂ及びライトカメラ３ｃはそれぞれ、自機器に接続される例えば、ＡＣ１００Ｖの商用電源を整流・平滑して生成される電源が待受電源又は動作電源となる。
【００３６】
このような待受状態であるとき、例えば、図１（Ａ）に示す子機１の正面に立っている来訪者が住戸内に在室中の居住者を呼び出すにあたり、図２に示す当該子機の子機操作部１００を使用して呼出操作を行うと、この操作を検出した子機制御部１０６にて呼出信号が生成され、子機Ｉ／Ｆ１０７、子機ラインＬ1、親機２の子機側親機Ｉ／Ｆ２０５を経由して親機制御部２０４に送出される。
【００３７】
同様に、前述のように図１（Ａ）に示す子機１の正面に来訪者が立っていると、外部照明機器３を構成するセンサライトカメラ３ａ、センサライト３ｂ及びライトカメラ３ｃがそれぞれ駆動し、各ライトが点灯することにより、住戸外の周囲近傍全体が明るくなることから、来訪者が眩しさを感じるような不快感を与えることはない。また、センサライトカメラ３ａ、ライトカメラ３ｃはそれぞれ、来訪者の映像を撮像して外部映像信号を生成し、外部ラインＬ2、親機２の外部側親機Ｉ／Ｆ２０６を経由して親機制御部２０４に送出する。
【００３８】
図２に示す親機２の親機制御部２０４は、子機１の子機制御部１０６からの呼出信号が入力されると、来訪者からの呼び出しがあることを検出する。この親機制御部２０４は、親機電源部２０３を制御して、親機２の動作電源を生成させ、当該親機の構成各部に供給するとともに、子機１の動作電源を生成させ、前述の待受電源と同様に子機１の子機電源部１０５から当該子機の構成各部に供給することにより、モニタ２０１、カメラ１０１、照明部１０２（１０２ａ、１０２ｂ、１０２ｃ、１０２ｄ）及び調光部１０３がそれぞれ駆動するばかりでなく、来訪者からの呼び出しがあることを示す呼出音や音声メッセージ等が親機通話部２０２（のスピーカ）から出力され、呼出発報を行うことができる。また、親機制御部２０６は、来訪者からの呼び出しがあることを示す呼出メッセージや絵データ等をモニタ２０１に表示させて呼出表示を行うこともできる。
【００３９】
ここで、図２に示す子機１のカメラ１０１は、来訪者の顔及び撮像範囲内における顔の大きさを検知して当該来訪者を特定し、顔検出情報を子機制御部１０６に送出する。この子機制御部１０６は、入力された顔検出情報をもとに、当該来訪者及び子機１間の距離及び当該来訪者が立っている位置を検出することができ、照明部１０２を構成する第１乃至第３の各白色ＬＥＤ１０２ａ、１０２ｂ、１０２ｃのそれぞれの照度と、赤外ＬＥＤ１０２ｄの照度と、外部照明機器３を構成するセンサライトカメラ３ａ、センサライト３ｂ及びライトカメラ３ｃのそれぞれの照度との和（合成和）が、カメラ１０１にて生成される子機映像信号の明るさを示す図５に示す例えば、３〜１０ｌｕｘとなるように調光部１０３を制御することができる。この制御によって、来訪者の居る方向である第１の白色ＬＥＤ１０２ａの照度が高くなる一方、赤外ＬＥＤ１０２ｄの照度が低く抑えられ、さらには、当該来訪者の居ない方向である第２、第３の各白色ＬＥＤ１０２ｂ、１０２ｃのそれぞれの照度を高くすることができるため、来訪者が眩しさを感じるような不快感を与えることはない。このような調光制御が行われたカメラ１０１にて生成される子機映像信号は、子機Ｉ／Ｆ１０７、子機ラインＬ1、親機２の子機側Ｉ／Ｆ２０５を経由してモニタ２０１に送出されることにより、モニタ２０１に出画される映像信号として、来訪者が眩しさを感じるような不快感を与えることなく、当該来訪者が誰なのかの判別が可能で住戸外の周囲環境の視認性も高く確保された映像信号を出画することができる。
【００４０】
また、図２に示す親機２のモニタ２０１に出画される映像信号は、居住者による親機操作部２００の操作を検出した親機制御部２０４の制御によって、子機１のカメラ１０１にて生成された子機映像信号、及び／又は外部照明機器３を構成するセンサライトカメラ３ａ、ライトカメラ３ｃにてそれぞれ生成された外部映像信号を、適宜に切り替えて、或いは、同時のタイミングで例えば、マルチウィンドゥ表示で出画させることもできる。
【００４１】
さらに、図２に示す親機２のモニタ２０１に出画されている映像信号と、親機通話部２０２（のスピーカ）からの呼出音や音声メッセージ等の出力とをもとに、来訪者からの呼び出しがあることを当該来訪者の判別と併せて確認できた居住者が親機操作部２００を使用して応答操作を行うと、この操作を検出した親機制御部２０４及び子機１の子機制御部１０６の制御により、居住者が使用する親機通話部２０２（のマイク及びスピーカ）と子機側親機Ｉ／Ｆ２０５、子機ラインＬ1、子機Ｉ／Ｆ１０７を経由して来訪者が使用する子機通話部１０４（のマイク及びスピーカ）との間の信号伝送路、すなわち、通話路が形成され、音声（送話音声、受話音声）信号を送受信させることで通話が成立する。
【００４２】
本発明のテレビドアホン装置においては、特定の実施の形態をもって説明してきたが、この形態に限定されるものでなく、本発明の効果を奏する限り、これまで知られた如何なる構成の当該装置であっても採用できるということはいうまでもないことである。
【００４３】
具体的には、本発明の第１の実施例によれば、子機１の照明部１０２として図１（Ａ）に示すように、第１乃至第３の各白色ＬＥＤ１０２ａ、１０２ｂ、１０２ｃと、赤外ＬＥＤ１０２ｄとのように、異なる発光色である２種のＬＥＤを組み合わせて適用したが、この態様に限定されるものではない。
【００４４】
例えば、本発明の第２の実施例による照明部１０２として図１（Ｂ）に示すように、第１乃至第３の各白色ＬＥＤ１０２ａ、１０２ｂ、１０２ｃのように、白色の発光色である白色ＬＥＤのみで構成することができる。この態様によれば、来訪者の居る方向である第１の白色ＬＥＤ１０２ａの照度が低く抑えられる一方、当該来訪者の居ない方向である第２、第３の各白色ＬＥＤ１０２ｂ、１０２ｃのそれぞれの照度を高くすることができることから、来訪者が眩しさを感じるような不快感を与えることはない。また、本発明の第３の実施例による照明部１０２として図１（Ｃ）に示すように、（第１の）白色ＬＥＤ１０２ａと、赤外ＬＥＤ１０２ｄとのように、異なる発光色である２種のＬＥＤを組み合わせて構成することもできる。この態様によれば、来訪者の居る方向である（第１の）白色ＬＥＤ１０２ａの照度が高くなる一方、赤外ＬＥＤ１０２ｄの照度が低く抑えられることにより、来訪者が眩しさを感じるような不快感を与えることはない。
【００４５】
また、本発明の（第１乃至第３の各）実施例によれば、外部ラインＬ2を経由して親機２に外部照明機器３を接続させたが、この態様に限定されるものではない。例えば、外部照明機器３が不備とされる当該装置を適用することもできる。
【００４６】
さらに、本発明の（第１乃至第３の各）実施例によれば、外部ラインＬ2を経由して親機２に外部照明機器３を接続させるにあたり、センサライトカメラ３ａ、センサライト３ｂ及びライトカメラ３ｃの組み合わせとして、全てのライト３ａ、３ｂ、３ｃを１つずつ有する態様を適用したが、この態様に限定されるものではない。例えば、センサライトカメラ３ａ、センサライト３ｂ及びライトカメラ３ｃのうち少なくとも一種の当該ライトを組み合わせて構成することができ、その組み合わせは任意とされる。
【図面の簡単な説明】
【００４７】
【図１】図１（Ａ）、（Ｂ）、（Ｃ）はそれぞれ、本発明の第１乃至第３の各実施例によるテレビドアホン装置を上方から見たシステム説明図である。
【図２】図２は、本発明の（第１乃至第３の各）実施例によるテレビドアホン装置の具体的な構成を示すブロック図である。
【図３】図３は、本発明の（第１乃至第３の各）実施例によるテレビドアホン装置において、子機の照明部の照度（ｌｕｘ）及び当該子機から来訪者までの距離（ｃｍ）の関係に基づく調光条件を表すグラフ図である。
【図４】図４は、本発明の（第１乃至第３の各）実施例によるテレビドアホン装置において、子機の照明部の光量（％）及び角度：指向角（θ）の関係を表すグラフ図である。
【図５】図５は、本発明の（第１乃至第３の各）実施例によるテレビドアホン装置において、同実施例にて適用される各種照明機能の照度と、親機のモニタに出画される映像信号の明るさとの関係を表すグラフ図である。
【符号の説明】
【００４８】
１……子機
１０１……カメラ
１０２……照明部
１０２ａ、１０２ｂ、１０２ｃ……第１乃至第３の各白色ＬＥＤ
１０２ｄ……赤外ＬＥＤ
１０３……調光部
１０６……子機制御部
２……親機
２０１……モニタ
２０４……親機制御部
２０６……外部側親機Ｉ／Ｆ（インターフェース）
３……外部照明機器
３ａ……センサライトカメラ
３ｂ……センサライト
３ｃ……ライトカメラ
Ｌ0……仮想線
θ……所定の角度（指向角）
【図１】
2010109720.tif 000003
【図２】
2010109720.tif 000004
【図３】
2010109720.tif 000005
【図４】
2010109720.tif 000006
【図５】
2010109720.tif 000007